(57)【要約】【課題】軸線方向が多少ずれても、円滑に接続できるコネクタを提供すること。【解決手段】コネクタ１は、一方コネクタ１０と他方コネクタ２０とを備え、一方コネクタ１０は、パネル３０に対して傾斜可能に設けられた可動部１１と、パネル３０に支持される固定部１５と、この固定部１５に支持され可動部１１をパネル３０に向かって付勢する付勢機構１２と、を備え、可動部１１は、傾斜した姿勢においてパネル３０に当接する傾斜当接面１４１を有し、この傾斜当接面１４１は、断面が曲線状のものである。これにより、傾斜当接面１４１を支点として可動部１１を回転させて、一方コネクタ１０の姿勢を変更できる。したがって、一方コネクタ１０および他方コネクタ２０の軸線方向が多少ずれても、一方コネクタ１０と他方コネクタ２０とを確実に接続できる。【選択図】      図８
2005050564.tif 000002
【特許請求の範囲】
【請求項１】
部材に取り付けられる一方コネクタと、この一方コネクタに接続可能な他方コネクタと、を備えるコネクタであって、
前記一方コネクタは、前記部材に対して傾斜可能に設けられた可動部と、前記部材に支持される固定部と、この固定部に支持され前記可動部を前記部材に向かって付勢する付勢機構と、を備え、
前記可動部は、傾斜した姿勢において前記部材に当接する傾斜当接面を有し、
この傾斜当接面は、断面が曲線状のものであることを特徴とするコネクタ。
【請求項２】
前記曲線は、円弧であることを特徴とする請求項１に記載のコネクタ。
【請求項３】
前記一方コネクタは、前記他方コネクタに接続される接続部と、この接続部に設けられた平板状の鍔部と、を備え、
前記傾斜当接面は、この平板状の鍔部の前記部材側の端縁であることを特徴とする請求項１または２記載のコネクタ。
【請求項４】
前記鍔部は、２つであり、前記接続部を挟んで互いに反対側に位置することを特徴とする請求項３に記載のコネクタ。
【請求項５】
前記部材には、コネクタ開口が形成されており、
前記接続部は、前記コネクタ開口を通って前記他方コネクタ側に露出することを特徴とする請求項３または４に記載のコネクタ。
【請求項６】
請求項１から５のいずれかに記載のコネクタを備えることを特徴とする電子機器。
【発明の詳細な説明】
【０００１】
【発明の属する技術分野】
本発明は、部材に取り付けられる一方コネクタと、この一方コネクタに接続可能な他方コネクタと、を備えるコネクタに関し、例えば、一方コネクタおよび他方コネクタの軸線方向が異なるドロワコネクタが挙げられる。
【０００２】
【従来の技術】
従来より、２つのユニットを電気的に接続するコネクタとして、ドロワコネクタが知られている。このドロワコネクタは、例えば、図１１に示すように、オスコネクタ５０と、このオスコネクタ５０に対向して配置されたメスコネクタ６０と、を備えている（特許文献１参照）。この特許文献１において、オスコネクタ５０は、メスコネクタ６０側に開口５２が形成されたガイドボックス５１と、このガイドボックス５１内に配置されて先端が前記開口５２から露出するコネクタ５３と、ガイドボックス５１内に配置されコネクタ５３を付勢するコイルばね５４と、を備えている。一方、メスコネクタ６０は、オスコネクタ５０側に開口６２が形成されたガイドボックス６１と、このガイドボックス６１内に配置されて先端が前記開口６２から露出するコネクタ６３と、ガイドボックス６１内に配置されコネクタ６３を付勢するコイルばね６４と、を備えている。
【０００３】
ここで、各コネクタ５３、６３には、それぞれ、ガイドボックス５１、６１の内面に係合する板状の鍔部５５、６５が複数形成されている。これら鍔部５５、６５は、コネクタ５３、６３がガイドボックス５１、６１に対して傾斜した状態となった場合、コネクタ５３、６３を支持する。よって、鍔部５５、６５を支点としてコネクタ５３、６３を回転させて、コネクタ５３、６３の姿勢を変更できるようになっている。
【０００４】
以上の構成によれば、オスコネクタ５０およびメスコネクタ６０の軸線方向が多少ずれていても、各コネクタ５３、６３の姿勢を変えて、オスコネクタ５０とメスコネクタ６０とを確実に接続できる。
【０００５】
【特許文献１】
特開平１１−３５４２０９号公報
【０００６】
【発明が解決しようとする課題】
しかしながら、上述した構成では、コネクタ５３、６３がガイドボックス５１、６１に対して傾斜した際、鍔部５５、６５の一部を支点としてコネクタ５３、６３が支持されることになる。よって、鍔部５５、６５の一部に応力が集中して、鍔部５５、６５が損傷してしまい、オスコネクタ５０とメスコネクタ６０とを円滑に接続することが困難になる場合があった。
【０００７】
本発明の目的は、軸線方向が多少ずれても、円滑に接続できるコネクタを提供することにある。
【０００８】
【課題を解決するための手段】
本発明のコネクタは、部材に取り付けられる一方コネクタと、この一方コネクタに接続可能な他方コネクタと、を備えるコネクタであって、前記一方コネクタは、前記部材に対して傾斜可能に設けられた可動部と、前記部材に支持される固定部と、この固定部に支持され前記可動部を前記部材に向かって付勢する付勢機構と、を備え、前記可動部は、傾斜した姿勢において前記部材に当接する傾斜当接面を有し、この傾斜当接面は、断面が曲線状のものであることを特徴とする。
【０００９】
この発明によれば、傾斜当接面を支点として可動部を回転させて、一方コネクタの姿勢を変更できる。したがって、一方コネクタおよび他方コネクタの軸線方向が多少ずれても、一方コネクタと他方コネクタとを確実に接続できる。このとき、傾斜当接面部の断面を曲線状としたので、傾斜当接面と部材との接触面積を広く確保できる。よって、傾斜当接面に応力が集中して損傷するのを防止できるから、コネクタを円滑に接続できる。また、可動部を部材に当接させたので、従来のようなガイドボックスが不要となるから、コネクタの構造を簡素化できる。また、コネクタの製造も容易になるので、製造工程を考慮したトータルコストを低減できる。
【００１０】
本発明では、前記曲線は、円弧であることが好ましい。この発明によれば、可動部の部材に対する傾斜角度によらず、可動部と部材との接触圧を均一にできるので、コネクタをより円滑に接続できる。
【００１１】
本発明では、前記一方コネクタは、前記他方コネクタに接続される接続部と、この接続部に設けられた平板状の鍔部と、を備え、前記傾斜当接面は、この平板状の鍔部の前記部材側の端縁であることが好ましい。
【００１２】
この発明によれば、一方コネクタに平板状の鍔部を設けるだけで、傾斜当接面を形成できるから、コネクタを容易に製造できる。また、平板材の端縁は長いため、傾斜当接面の総延長を長くできるので、可動部の姿勢を様々な向きに変更でき、一方コネクタおよび他方コネクタの軸線方向が様々な方向にずれても、コネクタを確実に接続できる。
【００１３】
本発明では、前記鍔部は、２つであり、前記接続部を挟んで互いに反対側に位置することが好ましい。この発明によれば、可動部の姿勢を、互いに相反する向きに容易に変更できるから、一方コネクタおよび他方コネクタの軸線方向が様々な方向にずれても、コネクタを確実に接続できる。
【００１４】
本発明では、前記部材には、コネクタ開口が形成されており、前記接続部は、前記コネクタ開口を通って前記他方コネクタ側に露出することが好ましい。部材にコネクタ開口を設けず、部材の端縁から接続部を露出させた場合、付勢機構による応力が部材の端縁に集中し、部材が変形するおそれがある。しかし、この発明によれば、付勢機構による応力を、コネクタ開口の周囲に分散できるので、部材が変形するのを防止できる。
【００１５】
本発明の電子機器は、上述したコネクタを備えることを特徴とする。この発明によれば、コネクタを円滑に接続できるから、電子機器の耐久性を向上できる。
【００１６】
【発明を実施するための形態】
以下、本発明の一実施形態を図面に基づいて説明する。図１には、本実施形態に係るコネクタ１が示されている。コネクタ１は、平板状の部材としてのパネル３０に取り付けられる一方コネクタ１０と、平板状のパネル４０に取り付けられて一方コネクタ１０に接続可能な他方コネクタ２０とを備える。
【００１７】
パネル３０には、一方コネクタ１０の一部が挿通される矩形状のコネクタ開口３１が形成されている。パネル４０には、他方コネクタ２０の一部が挿通される矩形状のコネクタ開口４１が形成されている。
【００１８】
図２および図３には、一方コネクタ１０の正面図および断面図が示されている。一方コネクタ１０は、他方コネクタ２０に接続される可動部１１と、パネル３０に支持される固定部１５と、この固定部１５に支持され可動部１１をパネル３０に向かって付勢する付勢機構１２と、を備える。
【００１９】
可動部１１は、コネクタ開口３１を通して他方コネクタ２０側に露出する接続部１３と、この接続部１３に設けられパネル３０の他方コネクタ２０と反対側に位置する２つの鍔部１４と、を備える。
【００２０】
接続部１３は、略箱状とされ、他方コネクタ２０に接続される。この接続部１３の先端には、他方コネクタ２０が挿入される挿入口１３１が形成されている。接続部１３の内部には、図３に示すように、複数の接触子１３２が設けられ、これら接触子１３２は、接続部１３の基端側に取り付けられる配線１３３に接続される（図１参照）。
【００２１】
各鍔部１４は、平板矩形状とされ、接続部１３の基端側でかつ接続部１３を挟んで互いに反対側に位置している。各鍔部１４には、それぞれ、後述するボルト部材１５１が挿通されるボルト孔１４２が形成されている。この鍔部１４のパネル３０側の端縁は、可動部１１がパネル３０に対して傾斜した姿勢となる際に、パネル３０に当接する傾斜当接面１４１である。この傾斜当接面１４１は、図４に示すように、断面が曲線状、ここでは円弧状となっている。
【００２２】
固定部１５は、パネル３０に突出して設けられた２つのボルト部材１５１を備えている。ボルト部材１５１は、コイルばね１２２、ワッシャ１２３、および鍔部１４を貫通して、先端でパネル３０に固定されている。
【００２３】
付勢機構１２は、ボルト部材１５１に支持されて可動部１１の鍔部１４をパネル３０に向かって付勢するコイルばね１２２を備えている。コイルばね１２２は、ボルト部材１５１の頭部およびワッシャ１２３に係合されており、このワッシャ１２３および鍔部１４を介して、傾斜当接面１４１をパネル３０に向かって付勢する。
【００２４】
図５および図６には、他方コネクタ２０の正面図および断面図が示されている。他方コネクタ２０は、一方コネクタ１０に接続されかつコネクタ開口４１を通って一方コネクタ１０側に露出する接続部２３と、この接続部２３に設けられてパネル４０に係合する２つの係合部２４と、を備える。接続部２３の先端には、図６に示すように、接触子２３２が設けられ、これら接触子２３２は、接続部２３の基端側に取り付けられる配線２３３に接続される（図１参照）。
【００２５】
以上のコネクタ１によれば、他方コネクタ２０の接続部２３を一方コネクタ１０の挿入口１３１に挿入することにより、他方コネクタ２０の接触子２３２と、一方コネクタ１０の接触子１３２とが電気的に接続される。
【００２６】
以上のコネクタ１の動作について、図７〜図１０を参照しながら説明する。図７に示すように、一方コネクタ１０は、その軸線方向がパネル３０に対して垂直になるように取り付けられている。一方、他方コネクタ２０は、その軸線方向がパネル４０に対して垂直になるように取り付けられている。
【００２７】
また、パネル３０は、点Ａを中心として、パネル４０に対して開閉自在に設けられている。したがって、例えば、パネル３０を、パネル４０を閉じる方向（図７中矢印の方向）に回動させて、一方コネクタ１０を、他方コネクタ２０に接近させる。このとき、図８に示すように、パネル３０のパネル４０に対する角度は、角度θ１とする。すると、一方コネクタ１０の接続部１３の軸線方向と、他方コネクタ２０の接続部２３の軸線方向との成す角度も、角度θ１となる。
【００２８】
次に、一方コネクタ１０を他方コネクタ２０にさらに接近させる。すると、図９に示すように、一方コネクタ１０の接続部１３の挿入口１３１に、他方コネクタ２０の接続部２３の先端が飲み込まれる。そして、接続部１３の挿入口１３１の端縁は、接続部２３の外周面で押圧される。この押圧力により、可動部１１は、付勢機構１２の付勢力に抵抗しながら、傾斜当接面１４１を支点として回転し、姿勢を変える。このとき、パネル３０とパネル４０との成す角度を角度θ２とすると、可動部１１は、パネル３０に対して角度θ２だけ回転する。これにより、一方コネクタ１０の接続部１３の軸線方向と、他方コネクタ２０の接続部２３の軸線方向とが一致する。
【００２９】
続いて、一方コネクタ１０を他方コネクタ２０にさらに接近させる。すると、一方コネクタ１０の接続部１３は、他方コネクタの接続部２３の軸線方向に沿って進み、図１０に示すように、一方コネクタ１０と他方コネクタ２０とが接続される。
【００３０】
したがって、本実施形態によれば、以下のような効果がある。
【００３１】
（１）傾斜当接面１４１を支点として可動部１１を回転させて、一方コネクタ１０の姿勢を変更できる。したがって、一方コネクタ１０および他方コネクタ２０の軸線方向が多少ずれていても、一方コネクタ１０と他方コネクタ２０とを確実に接続できる。このとき、傾斜当接面１４１の断面を曲線状としたので、傾斜当接面１４１とパネル３０との接触面積を広く確保できる。よって、傾斜当接面１４１に応力が集中して損傷するのを防止できるから、コネクタ１を円滑に接続できる。
【００３２】
（２）可動部１１を傾斜当接面１４１でパネル３０に当接させたので、従来のようなガイドボックスが不要となるから、コネクタ１の構造を簡素化できる。また、コネクタの製造も容易になるので、製造工程を考慮したトータルコストを低減できる。
【００３３】
（３）傾斜当接面１４１を円弧状としたので、傾斜当接面１４１のパネル３０に対する傾斜角度によらず、傾斜当接面１４１とパネル３０との接触圧を均一にできるので、コネクタ１をより円滑に接続できる。
【００３４】
（４）可動部１１に平板状の鍔部１４を設け、傾斜当接面１４１を平板状の鍔部１４のパネル３０側の端縁とした。したがって、一方コネクタ１０に平板状の鍔部１４を設けるだけで、傾斜当接面１４１を形成できるから、コネクタ１を容易に製造できる。また、平板材の端縁は長いため、傾斜当接面１４１の総延長を長くできるので、可動部１１の姿勢を様々な向きに変更でき、一方コネクタ１０および他方コネクタ２０の軸線方向が様々な方向にずれても、コネクタ１を確実に接続できる。
【００３５】
（５）鍔部１４を２つとし、これら鍔部１４を接続部１３を挟んで互いに反対側に設けた。これにより、可動部１１の姿勢を、互いに相反する向きに容易に変更できるから、一方コネクタ１０および他方コネクタ２０の軸線方向が様々な方向にずれても、コネクタ１を確実に接続できる。
【００３６】
（６）パネル３０にコネクタ開口３１を形成し、一方コネクタ１０の接続部１３をコネクタ開口３１を通して他方コネクタ２０側に露出させた。したがって、付勢機構１２による応力を、コネクタ開口３１の周囲に分散できるので、パネル３０が変形するのを防止できる。
【００３７】
なお、本発明は前記実施形態に限定されるものではなく、本発明の目的を達成できる範囲での変形、改良等は本発明に含まれるものである。
【００３８】
例えば、前記実施形態では、傾斜当接面１４１を断面円弧状に形成したが、これに限らず、断面直線状や断面多角形状に形成してもよい。このような構造については、断面曲線状と同一視できるものであれば述べるまでもないが、同一視できるものでなくても、断面曲線状と代替可能でかつ同一の効果を奏するものであれば、均等物として解釈されるべきである。
【００３９】
また、前記実施形態では、可動部１１に２つの鍔部１４を設けたが、鍔部の個数は、これに限らず、いくつでもよい。また、鍔部の位置は、適宜決められてよい。
【００４０】
また、前記実施形態では、パネル３０にコネクタ開口３１を形成し、このコネクタ開口３１を通して、接続部１３を他方コネクタ２０側に露出させたが、これに限らず、接続部をパネルの端縁から他方コネクタ側に露出させてもよい。
【００４１】
【発明の効果】
本発明のコネクタによれば、次のような効果が得られる。傾斜当接面を支点として可動部を回転させて、一方コネクタの姿勢を変更できる。したがって、一方コネクタおよび他方コネクタの軸線方向が多少ずれても、一方コネクタと他方コネクタとを確実に接続できる。このとき、傾斜当接面の断面を曲線状としたので、傾斜当接面と部材との接触面積を広く確保できる。よって、傾斜当接面に応力が集中して損傷するのを防止できるから、コネクタを円滑に接続できる。また、可動部を傾斜当接面で部材に当接させたので、従来のようなガイドボックスが不要となるから、コネクタの構造を簡素化できる。また、コネクタの製造も容易になるので、製造工程を考慮したトータルコストを低減できる。
【図面の簡単な説明】
【図１】本発明の一実施形態に係るコネクタを示す正面図である。
【図２】前記実施形態に係る一方コネクタの正面図である。
【図３】図２のＡ−Ａ´断面図である。
【図４】前記実施形態に係る一方コネクタの当接面の拡大図である。
【図５】前記実施形態に係る他方コネクタの正面図である。
【図６】図５のＢ−Ｂ´断面図である。
【図７】前記実施形態に係るコネクタが取り付けられた部材の側面図である。
【図８】前記実施形態に係るコネクタが接続される前の状態の断面図である。
【図９】前記実施形態に係るコネクタが接続されつつある状態の断面図である。
【図１０】前記実施形態に係るコネクタが接続された後の状態の断面図である。
【図１１】本発明の従来例に係るコネクタを示す分解斜視図である。
【符号の説明】
１    コネクタ
１０  一方コネクタ
１１  可動部
１２  付勢機構
１３  接続部
１４  鍔部
１５  固定部
２０  他方コネクタ
３０  パネル（部材）
３１  コネクタ開口
１４１  傾斜当接面
【図１】
2005050564.tif 000003
【図２】
2005050564.tif 000004
【図３】
2005050564.tif 000005
【図４】
2005050564.tif 000006
【図５】
2005050564.tif 000007
【図６】
2005050564.tif 000008
【図７】
2005050564.tif 000009
【図８】
2005050564.tif 000010
【図９】
2005050564.tif 000011
【図１０】
2005050564.tif 000012
【図１１】
2005050564.tif 000013